(57)【要約】【課題】異なるプラットフォームの機能を統合し、使用者が集中的に操作と管理を行うことができる、統合式セキュリティコンソールの提供。【解決手段】セキュリティモジュールとマルチメディアモジュールを含み、セキュリティモジュールが２組のエリアネットワークを備え、１組のエリアネットワークが室内の各種装置の接続と統合に用いられ、もう１組のエリアネットワークが送信モジュールに接続され、外部ネットワークに接続してリモートの管理センターに接続され、セキュリティ関連情報を管理センターに送信する。セキュリティモジュールは同時に電話接続モジュールを介して公衆電話網に接続され、セキュリティモジュールは公衆電話網を介して管理センターに接続する。【選択図】図１
2010119101.tif 000002
【特許請求の範囲】
【請求項１】
統合式セキュリティコンソールであって、セキュリティモジュールと、前記セキュリティモジュールと単一の装置に結合され、かつ双方向通信してデータ交換や相互モニタリングを行うマルチメディアモジュールと、を含み、
前記セキュリティモジュールが送信モジュールとエリアネットワークを備え、
前記送信モジュールが外部ネットワークに接続され、リモートの管理センターに接続し、セキュリティ関連情報を前記管理センターに送信し、
前記エリアネットワークが、タッチパネル、設備コントローラ、セキュリティハードウェア操作インターフェースの接続に用いられ、使用者が前記セキュリティモジュールを操作して設定を行い、かつ使用者が各項目の設定状態、セキュリティ状態、家電照明制御状態を知ることができ、
前記マルチメディアモジュールが外部ネットワークに接続され、前記マルチメディアモジュールがマルチメディア及びネットワークブラウジング機能の提供に用いられ、かつビデオ信号を生成してテレビに送信し、前記テレビに操作インターフェース及び各情報を表示させることができ、かつ、前記マルチメディアモジュールがさらにマルチメディア操作インターフェースを含み、使用者が操作インターフェースを運用して操作を行い、
前記セキュリティモジュールがさらに設定状態、セキュリティ状態、家電照明制御の状態を前記マルチメディアモジュールに送信して前記テレビに表示させることができ、
使用者は前記マルチメディア操作インターフェースを介して前記テレビ上に表示された操作メニューを操作し、前記セキュリティモジュールのセキュリティのエリア設定と解除、及び家電照明制御のコントロールを行い、セキュリティと家電照明制御のパラメータ設定値を変更し、前記セキュリティモジュールに送信して前記セキュリティモジュールのパラメータ設定値を変更することができることを特徴とする、
統合式セキュリティコンソール。
【請求項２】
前記外部ネットワークが、インターネット、セキュリティ専用回線、または公衆電話網であることを特徴とする、請求項１に記載の統合式セキュリティコンソール。
【請求項３】
前記マルチメディアモジュールが前記インターネットに接続され、リモートから各データまたはサービス内容を取得して、前記テレビに表示することを特徴とする、請求項２に記載の統合式セキュリティコンソール。
【請求項４】
前記セキュリティモジュールが電話接続モジュールを介してあらかじめ設定した電話にダイヤルし、接続することを特徴とする、請求項２に記載の統合式セキュリティコンソール。
【請求項５】
前記セキュリティハードウェア操作インターフェースが、使用者が前記セキュリティモジュールを操作して設定を行うために用いるハードウェアボタンと、簡易情報を表示して使用者が各項目の設定状態やセキュリティ状態を知ることができるランプと、を含むことを特徴とする、請求項１に記載の統合式セキュリティコンソール。
【請求項６】
前記セキュリティモジュールと前記マルチメディアモジュールが独立したセキュリティ電源とマルチメディア電源をそれぞれ備え、共に交流電源から給電を得て、整流と変圧を経た後、直流電流を前記セキュリティモジュール及び前記マルチメディアモジュールに供給し、かつ前記セキュリティ電源がさらに予備用電池を含み、前記交流電源が中断されたとき、前記セキュリティモジュールに給電を継続することを特徴とする、請求項１に記載の統合式セキュリティコンソール。
【請求項７】
前記セキュリティモジュールが、前記マルチメディアモジュールの動作が異常な場合、コントロールピンからリセット信号を前記マルチメディアモジュールのリセットピンに発信し、前記マルチメディアモジュールをリセットさせることを特徴とする、請求項１に記載の統合式セキュリティコンソール。
【請求項８】
前記セキュリティモジュールがタッチパネルに接続され、双方向伝送を行い、前記セキュリティモジュールがセキュリティ関連データを前記タッチパネルに送信し、前記タッチパネルにセキュリティ状態と家電照明制御の状態を表示させ、かつ前記タッチパネルが使用者にタッチ制御インターフェースまたはハードウェアボタンで各パラメータ値を入力させ、前記セキュリティモジュールに送信し、前記セキュリティモジュールの各パラメータ設定を変更することができ、前記タッチパネルは内部イーサネット（登録商標）を介して前記マルチメディアモジュールに接続され、相互に両者の関連情報を取得することを特徴とする、請求項１に記載の統合式セキュリティコンソール。
【請求項９】
前記マルチメディアモジュールがさらに、各プログラムやデータの保存に用いるストレージ装置を含むことを特徴とする、請求項１に記載の統合式セキュリティコンソール。
【請求項１０】
前記電話接続モジュールがインターホン分配モジュールに接続され、前記インターホン分配モジュールが複数のビデオインターホン装置に接続し、各前記ビデオインターホン装置の間で通信を行うために用いられ、
各前記ビデオインターホン装置が前記インターホン分配モジュールを介して前記セキュリティモジュールの前記電話接続モジュールに送信され、さらに前記セキュリティモジュールを介して前記マルチメディアモジュールに送信され、前記ビデオインターホン装置が取得した音声、または映像を前記テレビで再生し、
前記電話接続モジュールが少なくとも一つのダイヤル電話をあらかじめ設定でき、それにより各前記ビデオインターホン装置を電話接続モジュールで前記公衆電話網を介してリモートの電話に転送することを特徴とする、
請求項４に記載の統合式セキュリティコンソール。
【発明の詳細な説明】
【技術分野】
【０００１】
本発明はセキュリティコンソールに関し、特に、マルチメディア及びセキュリティ機能を備えた、統合式セキュリティコンソールに関する。
【背景技術】
【０００２】
現在家庭環境において、各種異なるコンソールを設置して、家庭の使用者にさまざまなサービスを提供している。付加価値通信網サービスやマルチメディアサービスについてみると、使用者はデジタルセットトップボックスやマルチメディアセンターコンソールを設置して、ネットワーク接続を介し付加価値通信網サービスやマルチメディアサービスを取得し、関連情報をテレビに表示している。セキュリティサービスについてみると、屋内にセキュリティコンソールを設置し、各種セキュリティ設備に逐一ケーブルを引く必要があり、それにより情報をセキュリティコンソール専用のディスプレイ上に表示すると共に、専用のインターフェースでセキュリティ設定を行うことができる。一般のネットワークニーズについてみると、使用者は一般のパーソナルコンピュータを操作し、関連のネットワーク情報を取得する必要がある。デジタル家電設備についてみると、一組の専用コンソールを設置してコントロール設備と接続し、各コントロール設備を操作する必要がある。
【０００３】
前述の各サービスのニーズには専用のコンソールをそれぞれ設置し、それぞれケーブル接続する必要があり、設置空間を占用するだけでなくケーブルを引くことも困難である。各コンソール間は異なる通信プロトコルを備えているため、相互に通信することはできず、使用者は単一のインターフェースで各機能を操作することは不可能であり、異なるプラットフォームにそれぞれ移動して操作を行わなければならないため、使用者にとって不便である。
【発明の概要】
【発明が解決しようとする課題】
【０００４】
上述の問題に鑑みて、本発明の目的は、異なるプラットフォームの機能を統合し、使用者が集中的に操作と管理を行うことができる、統合式セキュリティコンソールを提供することにある。
【課題を解決するための手段】
【０００５】
上述の目的を達するため、本発明の統合式セキュリティコンソールは、セキュリティモジュールとマルチメディアモジュールを含む。セキュリティモジュールは送信モジュール、電話接続モジュール、セキュリティハードウェア操作インターフェースを備えている。送信モジュールは外部インターネットに接続し、リモートの管理センターに接続して、セキュリティ関連情報を管理センターに送信する。電話接続モジュールは公衆電話網に接続し、公衆電話網を介してセキュリティモジュールを管理センターに接続する。セキュリティハードウェア操作インターフェースは使用者がセキュリティモジュールを操作して設定を行うと共に、使用者が各設定状態またはセキュリティ状態を知るために用いられる。マルチメディアモジュールとセキュリティモジュールは単一の装置に結合され、かつ双方向通信してデータ交換や相互モニタリングが可能であり、かつマルチメディアモジュールは２組のイーサネット（登録商標）インターフェースを備え、１組が内部イーサネットに接続され、もう１組が外部イーサネットに接続されて、外部インターネットに接続することができる。そのうち、マルチメディアモジュールはマルチメディア及びネットワークブラウジング機能を提供し、かつビデオ信号を生成してテレビに送信し、テレビに操作インターフェース及び各情報を表示することができる。かつ、マルチメディアモジュールはさらにマルチメディア操作インターフェースを含み、使用者は操作インターフェースを運用して操作を行うことができる。使用者はマルチメディア操作インターフェースでテレビ上に表示された操作メニューを操作し、セキュリティのエリア設定と解除や、家電照明制御等の制御を行うことができる。このほか、セキュリティと家電照明制御等のパラメータ設定値を変更することもでき、セキュリティモジュールに送信して、セキュリティモジュールの各種関連パラメータ設定値を変更することができる。
【発明の効果】
【０００６】
本発明は多種類のプラットフォームの機能を単一の装置に結合し、セキュリティコンソールに多様化した機能を具備させることで、使用者は単一のプラットフォームで便利に異なる機能の要求を取得することができる。
【図面の簡単な説明】
【０００７】
【図１】本発明の統合式セキュリティコンソールの電路を示すブロック図である。
【図２】本発明の統合式セキュリティコンソールの局部電路を示すブロック図である。
【図３】本発明の統合式セキュリティコンソールの局部電路を示すブロック図である。
【図４】本発明の統合式セキュリティコンソールの局部電路を示すブロック図である。
【発明を実施するための形態】
【０００８】
図１に示すように、本発明の実施例が開示する統合式セキュリティコンソールは、セキュリティモジュール１００とマルチメディアモジュール２００を含み、セキュリティモジュール１００とマルチメディアモジュール２００は単一の装置に統合され、かつ双方向通信してデータ交換や相互モニタリングが可能である。そのうち、セキュリティモジュール１００とマルチメディアモジュール２００は独立したセキュリティ電源１７０とマルチメディア電源２５０を備えている。セキュリティ電源１７０とマルチメディア電源２５０は共同で交流電源から給電を得て、整流と変圧を経た後、直流電流をセキュリティモジュール１００とマルチメディアモジュール２００に提供する。セキュリティ電源１７０はさらに予備用電池を含み、交流電源が中断したとき、セキュリティモジュール１００に継続して給電するために用いられるが、マルチメディアモジュール２００は給電しない。
【０００９】
セキュリティモジュール１００は、例えばＲＳ４８５やＲＳ２３２など、ＲＳシリーズのインターフェースでエリアネットワークＡを提供し、マルチメディアモジュール２００に接続して、該マルチメディアモジュール２００の動作状態をモニタリングし、かつマルチメディアモジュール２００の動作が異常な場合、コントロールピン１０１からマルチメディアモジュール２００のリセットピン２０１にリセット信号を発し、該マルチメディアモジュール２００をリセットさせることができる。
【００１０】
図１に示すように、セキュリティモジュール１００は送信モジュール１１０、電話接続モジュール１２０、セキュリティハードウェア操作インターフェース１３０を備えている。送信モジュール１１０はインターネットまたはセキュリティ専用回線等の外部ネットワークに接続し、異なる通信プロトコルの通信回路を介してリモートの管理センターに接続し、セキュリティ関連情報を管理センターに送信する。
【００１１】
図１に示すように、セキュリティモジュール１００はエリアネットワークＡを提供し、異なる設備にエリアネットワークＡに接続させ、かつ各設備に１つの設備アドレスを付与し、エリアネットワークＡとセキュリティモジュール１００に接続することを可能にする。インターネットは主にＡＤＳＬモデムまたはモバイル通信モデム装置を介して接続でき、セキュリティモジュール１００が管理センターに接続される。電話接続モジュール１２０は公衆電話網に接続され、セキュリティモジュール１００が公衆電話網を介して管理センターに接続できるようにする。セキュリティモジュール１００はインターネット、セキュリティ専用回線、または公衆電話網等の外部ネットワークを介して同時に管理センターに接続し、多重の接続経路を確立して、１つの接続が失効し、作用しなくなることがないようにする。
【００１２】
図２に示すように、セキュリティモジュール１００は電話接続モジュール１２０を介してダイヤルし、あらかじめ設定された電話に接続することができ、前述の電話は一般の室内電話または携帯電話とすることができる。セキュリティモジュール１００はセンサ（図示しない）を介してセキュリティ情報を取得し、管理センターに送信する。各センサの形式は必要に応じて設置するものとし、ここでは説明を省略する。セキュリティハードウェア操作インターフェース１３０はランプとハードウェアボタンを含み、使用者がセキュリティモジュールを操作して設定を行うために用いられ、ランプは簡易情報を表示し、使用者が各項目の設定状態やセキュリティ状態を知ることができる。
【００１３】
このほか、セキュリティモジュール１００は、例えばＲＳ４８５やＲＳ２３２など、ＲＳシリーズのインターフェースで構築したエリアネットワークＡを介して、タッチパネル３３０をセキュリティモジュール１００に接続させ、双方向伝送を行うことができ、使用者はセキュリティモジュール１００を操作して設定を行い、また使用者は各項目の設定状態、セキュリティ状態、家電照明制御の状態を知ることができる。そのうち、セキュリティモジュール１００はセキュリティと家電照明制御等の関連データをタッチパネル３３０に送信し、タッチパネル３３０にセキュリティと家電照明制御等の関連データを表示させることができ、同時に、タッチパネル３３０も使用者にタッチ制御インターフェースまたはハードウェアボタンで各パラメータ値を入力させ、セキュリティモジュール１００に送信してセキュリティモジュール１００の各パラメータ設定を変更することができる。
【００１４】
図１に示すように、マルチメディアモジュール２００はマルチメディア及びネットワークブラウジング機能を提供するために用いられる。そのうち、マルチメディアモジュール２００はビデオ信号を生成し、テレビ２１０に送信して、テレビ２１０に操作インターフェース及び各情報を表示することができ、かつ、マルチメディアモジュール２００はマルチメディア操作インターフェース２３０を含み、エリアネットワークＡを介してマルチメディアモジュール２００に接続し、ハードウェアボタンを提供して使用者が操作インターフェースを運用し、操作を行うことができるようにする。セキュリティモジュール１００はエリアネットワークＡを介してマルチメディアモジュール２００に接続し、双方向伝送を行う。セキュリティモジュール１００はマルチメディアモジュールの状態をモニタリングすることができるほか、設定状態、セキュリティ状態、家電照明制御の状態をマルチメディアモジュール２００に送信し、テレビ２１０上に表示させることができる。使用者はまた、マルチメディア操作インターフェース２３０を介してテレビ２１０上に表示された操作メニューを操作し、セキュリティのエリア設定と解除や、家電照明制御等の制御を行うことができる。このほか、セキュリティと家電照明制御等のパラメータ設定値を変更し、セキュリティモジュール１００に送信して、セキュリティモジュール１００のパラメータ設定値を変更することもできる。
【００１５】
図１に示すように、マルチメディアモジュール２００は２組のイーサネットインターフェースを備え、そのうち１組が内部イーサネットＢに接続し、タッチパネル３３０と内部イーサネットを介して接続し、ファイルとデータの伝送を行うことができる。もう１組のイーサネットインターフェースは外部ネットワークに接続することができ、リモートから各種データやサービス内容を取得し、テレビ２１０に表示することができる。このほか、タッチパネル３３０はマルチメディアモジュール２００からネットワーク関連情報を取得することもでき、例えば、ＲＳSプロトコルで天気データを取得することができる。マルチメディアモジュール２００はさらにストレージ装置２４０を含み、ストレージ装置は内蔵のハードディスク、光ディスクドライブ、外付けメモリカードまたはフラッシュドライブとすることができ、各種プログラムやデータの保存に用いられる。
【００１６】
図３に示すように、電話接続モジュール１２０はインターホン分配モジュール１４０に接続され、そのうち、インターホン分配モジュールは複数のビデオインターホン装置１５０に接続するために用いられ、ビデオインターホン装置１５０は、例えば室内電話の内線、玄関のインターホン、室内インターホンを含む音声対話装置、或いはビデオカメラを備えたドアホン、室内インターホンなどを含むビデオインターホン装置とすることができる。インターホン分配モジュール１４０は各ビデオインターホン装置１５０の接続に用いられ、各ビデオインターホン装置１５０の間で音声またはビデオのコミュニケーションを行うことができるようにする。例えば、訪問客が玄関のインターホンとして用いるビデオインターホン装置１５０で呼び出すと、ユーザは室内のビデオインターホン装置１５０で対話をすることができる。同時に、ビデオインターホン装置１５０が取得した音声、または映像は、インターホン分配モジュール１４０を介してセキュリティモジュール１００の電話接続モジュール１２０に送信し、セキュリティモジュール１００を介してさらにマルチメディアモジュール２００に送信し、ビデオインターホン装置１５０が取得した音声、または映像をテレビ２１０で再生することもできる。このほか、インターホン分配モジュール１４０は電話接続モジュール１２０に接続されているため、電話接続モジュール１２０にあらかじめダイヤルする電話を設定しておき、使用者が外出しているとき、ビデオインターホン装置１５０、特に玄関のインターホンの音声を、電話接続モジュール１２０で公衆電話網を介しリモートの電話に転送することができる。これにより使用者が外出しているときも、公衆電話網を介して訪問客と対話をすることができる。このほか、訪問客または使用者はビデオインターホン装置１５０によりビデオメッセージを残すこともでき、ビデオメッセージはストレージ装置２４０に保存される。メッセージはマルチメディア装置２００で管理し、テレビ２１０で再生または表示したり、タッチパネル３３０で再生または日毎に表示したりすることができる。
【００１７】
図４に示すように、セキュリティモジュール１００はエリアネットワークＡを介して、設備コントローラ１８０に接続することができ、制御する設備はドアロックコントローラや家電設備コントローラ等、複数の端末装置１６０を制御して、各端末装置のオン／オフ切り替えや設定値の変更に用いることができる。設備コントローラ１８０の違いに基づき、端末装置１６０は例えばドアロックや照明器具、家電など、異なる設備とすることができる。
【００１８】
このほか、使用者は外部ネットワークを介してセキュリティモジュール１００にリモート接続し、セキュリティモジュール１００の各操作を行ったり、ビデオインターホン装置１５０の訪問客と対話をしたりすることができる。同様に、内部イーサネットＢは無線ハブで提供し、ワイヤレスエリアネットワークを形成することができ、使用者はＷｉＦｉ機能を備えたハンドヘルド設備を使用してセキュリティモジュール１００に接続し、セキュリティモジュール１００の各操作を行うことができ、外部ネットワークにさらに接続する必要はない。
【符号の説明】
【００１９】
１００    セキュリティモジュール
１０１    コントロールピン
１１０    送信モジュール
１２０    電話接続モジュール
１３０    セキュリティハードウェア操作インターフェース
１４０    インターホン分配モジュール
１５０    ビデオインターホン装置
１６０    端末装置
１７０    セキュリティ電源
１８０    設備コントローラ
２００    マルチメディアモジュール
２０１    リセットピン
２１０    テレビ
２３０    マルチメディア操作インターフェース
２４０    ストレージ装置
２５０    マルチメディア電源
３３０    タッチパネル
Ａ        エリアネットワーク
Ｂ        内部イーサネット
【図１】
2010119101.tif 000003
【図２】
2010119101.tif 000004
【図３】
2010119101.tif 000005
【図４】
2010119101.tif 000006